(57)【要約】  本発明は、陶器を備えた抽出機及びこれを利用した抽出方法に関する。本発明の抽出機は、本体、本体蓋、加熱部、陶器、ガス弁を含む。陶器は、本体内部に位置する。抽出機は、ガス弁を通じて本体に窒素ガスなどを注入し、抽出時に本体内部を高圧にして抽出する。本発明によれば、抽出時に本体内部が高圧に維持される。したがって、抽出物が陶器内部にのみ位置するようになり、抽出物が本体と接触して生ずるような変化が防止される。
2011504797.tif 000002
【特許請求の範囲】
【請求項１】
内部が空いていて、金属で形成された本体と、
前記本体をシールするための本体蓋と、
前記本体の外部で本体を加熱する加熱部と、
前記本体の内部に位置する陶器と、
前記本体内部に気体ガスを注入するか、又は、前記本体内部の気体ガスを放出するためのガス弁と、
を含むことを特徴とする抽出機。
【請求項２】
前記陶器の上端に位置し、前記陶器をシールするための陶器蓋体をさらに含むことを特徴とする請求項１に記載の抽出機。
【請求項３】
前記陶器蓋体は、側面にＯリングを備えることを特徴とする請求項２に記載の抽出機。
【請求項４】
前記ガス弁を通じて注入されるか、または放出される気体ガスは、窒素、アルゴン及びヘリウムよりなる群から選択された１種であることを特徴とする請求項１又は２に記載の抽出機。
【請求項５】
前記ガス弁は、気体ガスを注入するための第１ガス弁と、気体ガスを放出するための第２ガス弁とを備えることを特徴とする請求項１又は２に記載の抽出機。
【請求項６】
陶器内部に抽出対象物と抽出溶媒を入れる段階と、
前記本体をシールする段階と、
前記本体内部に気体ガスを注入し、前記本体内部の空気を放出させる段階と、
前記本体の内部が所定の圧力になるように気体ガスを注入する段階と、
前記本体を加熱して抽出する段階と、
前記本体を冷却する段階と、
前記注入された気体ガスを放出する段階と、
を含むことを特徴とする抽出方法。
【請求項７】
前記陶器内部に抽出対象物と抽出溶媒を入れる段階は、陶器蓋体を覆って前記陶器をシールする段階をさらに含むことを特徴とする請求項７に記載の抽出方法。
【請求項８】
前記気体ガスは、窒素、アルゴン及びヘリウムよりなる群から選択された１種であることを特徴とする請求項７又は８に記載の抽出方法。
【発明の詳細な説明】
【技術分野】
【０００１】
本発明は、暗褐色の釉が施され、韓国語でオンギと呼ばれる陶器（以下、簡単に陶器という）を備えた抽出機及びこれを利用した抽出方法に関し、さらに具体的には、本体に窒素ガスなどを注入して本体を高圧状態にさせて、抽出時に抽出物が陶器の内部にのみ位置するようにする抽出機及びこれを利用した抽出方法に関する。
【背景技術】
【０００２】
抽出機は、液体または固体混合物に溶媒を接触して抽出する装置を言う。このような抽出機は、様々な分野に使用されることができ、特に、ハンヤク（Hanyak）では、漢方薬（an oriental medicine）を煎ずるために使用される。従来、家庭で使用する抽出機は、サイズが小さかった。しかし、最近、大量で抽出する場合が多くなって、使用する抽出機が大きくなった。大型抽出機の場合、ステンレス鋼などのような金属で製造する。
【０００３】
抽出機は、抽出物が化学変化のような変質を起こさないようにしつつ抽出することが重要である。特に、漢方薬を煎ずる場合、石や金属で製造した抽出機を使用すれば、抽出物に沈殿が発生して溶解度が低下し、化学変化を起こして副作用が生ずるという問題点がある。したがって、ステンレス鋼で製造した抽出機は、抽出物の品質が劣化するという問題点がある。
【発明の概要】
【発明が解決しようとする課題】
【０００４】
本発明の目的は、抽出過程で抽出物が本体の金属と接触することを遮断する抽出機、及びこれを利用した抽出方法を提供することにある。
【課題を解決するための手段】
【０００５】
上記目的を達成するために、本発明の実施例による抽出機は、本体、本体蓋、加熱部、陶器、ガス弁を含む。本体は、内部が空いていて、金属で形成される。本体蓋は、本体をシールする。加熱部は、本体の外部で本体を加熱する。陶器は、本体の内部に位置する。ガス弁を通じて本体の内部に気体ガスを注入するか、又は、本体内部の気体ガスを放出する。他の実施例においては、ガス弁が２つであってもよい。第１ガス弁は、気体ガスを注入するためのもので、第２ガス弁は、気体ガスを放出するためのものである。
【０００６】
本発明の実施例による抽出機は、陶器蓋体を備えることができる。陶器蓋体は、陶器の上端に位置し、陶器をシールする。陶器蓋体は、側面にＯリングを備えることができる。
【０００７】
本発明の実施例による抽出機において、ガス弁を通じて注入されるか、又は放出される気体ガスは、窒素である。他の実施例においては、気体ガスは、アルゴン（Ａｒ）またはヘリウム（Ｈｅ）のような不活性気体であってもよい。
【０００８】
本発明の実施例による抽出方法は、陶器の内部に抽出対象物と抽出溶媒を入れる段階、本体をシールする段階と、気体ガスを注入し、本体内部の空気を放出させる段階と、本体の内部が所定の圧力となるように気体ガスを注入する段階と、本体を加熱して抽出する段階と、本体を冷却する段階と、注入された気体ガスを放出する段階とを含むことができる。
【０００９】
本発明の実施例による抽出方法において、陶器の内部に抽出対象物と抽出溶媒を入れる段階は、陶器蓋体を覆って陶器をシールする段階をさらに含むことができる。
【発明の効果】
【００１０】
本発明では、陶器が位置する抽出機の本体内部を高圧にして、抽出過程で抽出物は本体の金属と接触しない。したがって、抽出物の変質を防止することができる。
【００１１】
また、抽出時に本体内部の圧力を調節することで、揮発性の高い成分が揮発されることを防止することができる。
【図面の簡単な説明】
【００１２】
【図１】図１は、本発明の実施例による抽出機を示す図である。
【図２】図２は、本発明の実施例による抽出方法を示すフロー図である。
【図３】図３は、本発明の他の実施例による抽出機を示す図である。
【図４】図４は、本発明の他の実施例による陶器蓋体の断面を示す断面図である。
【図５】図５は、本発明の他の実施例による抽出方法を示すフロー図である。
【発明を実施するための形態】
【００１３】
以下、本発明の属する技術分野における通常の知識を有する者が本発明を容易に実施することができる程度に、本発明の好ましい実施例を添付の図面を参照して詳細に説明する。
【００１４】
実施例を説明するにあたって、本発明の属する技術分野によく知られていて、本発明と直接的に関連がない技術内容に対しては説明を省略する。これは、不要な説明を省略することによって、本発明の要旨を不明瞭にせず、さらに明確に伝達するためのものである。
【００１５】
同じ理由で、添付の図面において、一部の構成要素は誇張されるか、省略されるか、又は概略的に図示された。また、各構成要素のサイズは、実際サイズを反映するものではない。各図面において、同一または対応の構成要素には、同一の参照番号を付与した。
【００１６】
（第１実施例）
図１は、本発明の実施例による抽出機を示す図である。
図１に示されたように、本発明の実施例による抽出機１００は、本体１１０、本体蓋（本体カバー）１２０、加熱部１３０、陶器１４０、ガス弁１５０，１５１を含む。本実施例において、本体１１０は、円筒状形状であるが、他の形状も可能である。本体１１０は、上部が開放されていて、且つ、内部が空いている。本体１１０は、ステンレス鋼のような金属で製造する。
【００１７】
本体１１０の開放された上部には、本体蓋１２０が位置する。本体蓋１２０は、蓋固定部１２１によって本体１１０に固定されることができる。抽出時に本体１１０の内部が高圧状態となるので、本体蓋１２０が本体１１０から離脱することができる。本体１１０の内部の圧力が非常に高い場合には、本体蓋１２０が周辺に飛び出すおそれがある。したがって、本体蓋１２０を固定部１２１で堅固に固定しなければならない。
【００１８】
加熱部１３０は、本体１１０の外部で本体１１０を加熱する。本実施例においては、加熱部１３０が本体１１０の周りを取り囲んでいるが、他の実施例においては、加熱部１３０が本体１１０の底面に位置することもできる。加熱部１３０は、第１弁１３１と第２弁１３２を含むことができる。本体１１０を加熱しようとする場合、第１弁１３１を通じて高温の水を加熱部１３０に供給する。加熱部１３０が本体１１０を取り囲んでいるので、加熱部１３０に高温の水が供給されれば、本体１１０の内部の温度が上昇する。抽出が終われば、第２弁１３２を通じて加熱部１３０内部の高温の水を放出する。速い冷却を希望する場合には、第１弁１３１を通じて加熱部１３０の内部に冷や水を供給することもできる。
【００１９】
陶器１４０は、本体１１０の内部に位置する。陶器１４０の内部には、抽出対象物と抽出溶媒を入れる。陶器１４０は、黄土を利用して製造する。黄土の主要成分は、シリカ（ＳｉＯ２）、アルミナ（Ａｌ２Ｏ３）、鉄分、マグネシウム（Ｍｇ）、ナトリウム（Ｎａ）などである。黄土には、粘土が含有されていて、この粘土によって、黄土は、容易に壊れない粘力を有し、水を加えれば粘土に変わる性質がある。黄土で製造された陶器１４０は、無数に多い微細気孔を有し、熱を受ければ、動物や植物の成長に必要な遠赤外線を多量で放出し、他の物質の分子活動を刺激する。また、黄土で作った陶器１４０は、微細気孔を通じて息をすることができる。したがって、陶器１４０は、除毒作用をして食べ物の毒性を除去し、有害成分を外部に押し出して陶器内部の物質を長時間保存することができる。これにより、陶器１４０を利用して漢方薬などを抽出する場合、遠赤外線の放出によって優れた抽出効果と薬効が保証される。
【００２０】
ガス弁１５０，１５１は、本体１１０の内部に気体ガスを注入するか、又は、本体１１０内部の気体ガスを本体１１０の外部に放出するのに使用される。本実施例においては、ガス弁１５０，１５１が２つであるが、他の実施例においては、１つまたは複数個であってもよい。第１ガス弁１５０は、本体１１０の内部に気体ガスを注入するためのものである。本実施例において、第１ガス弁１５０は、本体カバー１２０に形成されているが、これに限定されるものではない。第２ガス弁１５１は、本体１１０内部の気体ガスを外部に放出するためのものである。本実施例において、第２ガス弁１５１は、本体１１０の下端部に設置されているが、これに限定されるものではない。
【００２１】
図２は、本発明の実施例による抽出方法を示すフロー図である。
図２に示されたように、本体内に位置する陶器の内部に抽出対象物と抽出溶媒を一定の割合で入れる（２１０）。本実施例において、抽出対象物は、黄耆、甘草などのような天然薬剤であり、抽出溶媒は、水である。抽出対象物と抽出溶媒を入れた後、抽出機の本体蓋を閉めて本体をシールする（２２０）。
【００２２】
本体がシールされれば、ガス弁を通じて気体ガスを本体内部に注入し、本体内部の空気を放出させる（２３０）。この際、本体内部に注入されるガスは、窒素であってもよい。窒素は、非常に安定的な気体であって、爆発性や危険性が少ない。したがって、本体内部が高温・高圧になっても安全である。他の実施例においては、アルゴン（Ａｒ）またはヘリウム（Ｈｅ）のような不活性ガスを使用することもできる。不活性ガスは、高濃度に圧縮されても、容易に爆発したり変質されない安定性の高い気体である。したがって、本体内部が高温・高圧になっても安全である。
【００２３】
本体の内部で空気が放出されれば、本体内部があらかじめ設定された圧力になるまで気体ガスを本体内部に注入する（２４０）。この際、設定された圧力は、ユーザが定めることができる値である。本体は、内部圧力が１〜３５０気圧に維持することができるように設計・製作されている。本実施例では、設定された圧力を１０気圧にして本体内部が高圧になるようにする。本体内部が高圧になれば、沸騰点が高くなる。したがって、抽出時に抽出物が沸いて、本体の金属と接触することが防止される。
【００２４】
本体内部が所望の圧力になれば、本体を加熱して抽出を行う（２５０）。本体の加熱は、加熱部に高温の水を供給することによって可能である。抽出が終われば、加熱部で高温の水を放出することによって、本体を冷却する（２６０）。本体を速く冷却させようとする場合には、加熱部に冷や水を供給することができる。本体が冷却されれば、本体内部の気体ガスを放出する（２７０）。気体ガスが放出されれば、本体蓋を開いて抽出物を回収する（２８０）。
【００２５】
（第２実施例）
図３は、本発明の他の実施例による抽出機を示す図である。
図３に示されたように、本発明の他の実施例による抽出機２００は、本体２１０、本体蓋（本体カバー）２２０、加熱部２３０、陶器２４０、ガス弁２５０，２５１、陶器蓋体２６０を含む。本体２１０、本体蓋２２０、加熱部２３０、陶器２４０、ガス弁２５０，２５１は、前述した第１実施例で説明したものと同様なので、説明を省略する。
【００２６】
陶器蓋体２６０は、陶器２４０の上端に位置する。本実施例では、陶器蓋体２６０が円形であるが、これに限定されるものではない。陶器蓋体２６０は、陶器２４０をシールするために使用される。陶器をシールすれば、陶器内部にある抽出物が本体と接触することができないので、抽出物が変質されることを防止することができる。陶器蓋体２６０が陶器２４０をシールするためには、陶器蓋体２６０の直径が陶器２４０の直径と一致しなければならない。
【００２７】
図４は、本発明の他の実施例による陶器蓋体の断面を示す断面図である。
図４に示されたように、陶器蓋体２６０は、側面に溝が形成されている。この溝には、Ｏリング２６１が位置することができる。Ｏリング２６１は、水のような液体が漏出されることを防止するために使用される円形の環である。Ｏリング２６１は、天然ゴム、合成ゴム、合成樹脂などで形成される。陶器蓋体２６０のＯリング２６１は、テフロン（登録商標）コーティングをすることができる。テフロン（登録商標）は、フッ素と炭素の強い化学的結合によって非常に安定した化合物を形成することによって、高い耐熱性、優れた絶縁安定性、低い摩擦係数などの特性を有する。陶器蓋体２６０がＯリング２６１を備えることによって、陶器２４０をさらに確実にシールすることができる。
【００２８】
図５は、本発明の他の実施例による抽出方法を示すフロー図である。
図５に示されたように、陶器内部に抽出対象物と抽出溶媒を一定の割合で入れる（５１０）。本実施例において、抽出対象物は、黄耆、甘草などのような天然薬剤であり、抽出溶媒は、水である。抽出対象物と抽出溶媒を入れた後、陶器蓋体を覆って陶器をシールする（５２０）。陶器をシールした後、抽出機の本体蓋を閉めて本体をシールする（５３０）。本体がシールされれば、ガス弁を通じて気体ガスを本体内部に注入し、本体内部の空気を放出させる（５４０）。この際、本体内部に注入されるガスは、窒素やアルゴン（Ａｒ）またはヘリウム（Ｈｅ）のような不活性ガスであってもよい。本体内部で空気が放出させた後、本体内部に気体ガスを注入し、本体内部があらかじめ設定された圧力になるようにする（５５０）。本体内部が設定された圧力になれば、本体を加熱して抽出を行う（５６０）。この際、陶器内部の圧力が増加すれば、陶器の蓋体が上側に上がり、本体内部の圧力と平衡になれば停止する。抽出が終われば、加熱部で高温の水を放出することによって、本体を冷却する（５７０）。本体が冷却されれば、本体内部の気体ガスを放出する（５８０）。気体ガス２７０が放出されれば、本体蓋と陶器蓋体を開いて抽出物を回収する（５９０）。
【００２９】
以上のように、本明細書と図面には本発明の好ましい実施例について開示した。上記では特定用語が使用されたが、これは、単に本発明の技術内容を容易に説明し、発明の理解を助けるための一般的な意味として使用されたものであって、本発明の範囲を限定しようとするものではない。ここに開示された実施例以外にも本発明の技術的思想に基づく他の変形例が実施可能であることは、本発明の属する技術分野における通常の知識を有する者に自明である。
【符号の説明】
【００３０】
１００、２００  抽出機
１１０、２１０  本体
１２０、２２０  本体カバー
１３０、２３０  加熱部
１４０、２４０  陶器
１５０、１５１、２５０、２５１  ガス弁
２６０  陶器蓋体
【図１】
2011504797.tif 000003
【図２】
2011504797.tif 000004
【図３】
2011504797.tif 000005
【図４】
2011504797.tif 000006
【図５】
2011504797.tif 000007
【国際調査報告】
2011504797.tif 000008
2011504797.tif 000009